(57)【特許請求の範囲】
【請求項１】
複数のユーザがそれぞれ装着する複数のウェアラブル端末ごとに送信される、当該ウェアラブル端末を装着しているユーザが睡眠中か、あるいは覚醒中かを表わす状態情報を受信する通信部と、
前記状態情報に基づいて、前記複数のユーザが睡眠中か、あるいは覚醒中かの第１状態を管理するように構成される状態管理部と、
前記複数のユーザの優先順位を設定するように構成される設定部と、
前記複数のユーザの前記第１状態および前記複数のユーザの優先順位に基づいて、前記複数のユーザの中から一人のユーザをターゲットユーザとして選択するように構成される選択部と、
前記ターゲットユーザに応じたコンテンツを再生するように構成される再生部と、
表示部と、
前記複数のユーザすべての前記第１状態と、前記複数のウェアラブル端末すべてについての、ユーザが装着中か否かを表わす第２状態とを前記表示部に表示するように構成される通知部と、を備え、
前記通知部は、
前記表示部において、前記複数のユーザのそれぞれの前記第１状態に対応する第１アイコンと、前記複数のウェアラブル端末のそれぞれの前記第２状態に対応する第２アイコンとを表示し、
前記複数のユーザのうち少なくとも一人のユーザに前記第１状態の変化があると、前記複数のユーザのそれぞれに対応する前記第１アイコンのうち、前記第１状態の変化があった前記少なくとも一人のユーザに対応する前記第１アイコンのみの表示態様を変化させ、
前記複数のウェアラブル端末のうち少なくとも一つに前記第２状態の変化があると、前記複数のウェアラブル端末のそれぞれに対応する前記第２アイコンのうち、前記第２状態の変化があった前記少なくとも一つに対応する前記第２アイコンのみの表示態様を変化させる、再生装置。
【請求項２】
前記設定部は、前記複数のユーザの年齢に基づいて、前記複数のユーザの優先順位を設定するように構成される、請求項１記載の再生装置。
【請求項３】
前記設定部は、ユーザの年齢が低いほど、優先順位を高く設定するように構成され、
前記選択部は、覚醒中であり、かつ年齢が最も低いユーザを前記ターゲットユーザとして選択するように構成される、請求項２記載の再生装置。
【請求項４】
前記選択部は、前記ターゲットユーザの状態が睡眠中に変化したときに、覚醒中の次に年齢が低いユーザを前記ターゲットユーザとして選択するように構成される、請求項３記載の再生装置。
【請求項５】
前記選択部は、睡眠中から覚醒中に変化したユーザの年齢が、前記ターゲットユーザの年齢よりも低い場合に、前記覚醒中に変化したユーザを新たなターゲットユーザとして選択するように構成される、請求項３記載の再生装置。
【請求項６】
前記再生部は、前記ターゲットユーザとして選択されたユーザが覚醒中から睡眠中に変化したときに、前記コンテンツの再生を停止するとともに、停止した再生箇所を記憶するように構成され、
前記再生部は、前記ユーザが睡眠中から覚醒中に戻り、かつ再度前記ターゲットユーザとして選択されたときには、前記記憶している再生箇所から前記コンテンツを再生するように構成される、請求項１記載の再生装置。
【請求項７】
前記通信部は、前記ウェアラブル端末から送信される、前記ウェアラブル端末を装着しているユーザの生体情報を受信するように構成され、
前記生体情報に基づいて、前記複数のユーザが睡眠中か、あるいは覚醒中かを判定するように構成される判定部を備える、請求項１記載の再生装置。
【請求項８】
前記通知部は、前記ターゲットユーザを識別するための情報を前記表示部に表示するように構成される、請求項１記載の再生装置。
【請求項９】
前記複数のユーザのうちの第１ユーザが前記ターゲットユーザとして選択された状態において、前記複数のユーザのうちの睡眠中の一人または複数のユーザである第２ユーザの状態が覚醒中に変化すると、前記選択部は、前記第２ユーザの優先順位のうち最も高い優先順位と、前記第１ユーザの優先順位とを比較し、当該比較結果に応じて、前記ターゲットユーザを前記第１ユーザから前記第２ユーザのうち最も高い優先順位のユーザに変更する、請求項１に記載の再生装置。
【請求項１０】
前記通信部は、前記ウェアラブル端末から送信される、前記ウェアラブル端末を装着しているユーザの生体情報を受信するように構成され、
前記状態管理部は、前記状態情報または前記生体情報を受信したか否かに基づいて、前記ウェアラブル端末が前記ユーザに装着されているか否かを特定するように構成される、請求項１記載の再生装置。
【請求項１１】
前記通知部は、前記通信部が前記ウェアラブル端末と通信不能のときに、前記ウェアラブル端末が電波の届かない箇所にあるか、または電源がオフとなっているかのメッセージを前記表示部に表示するように構成される、請求項１記載の再生装置。
【請求項１２】
前記コンテンツは、リアルタイム型放送サービスで提供され、
前記再生部は、前記ターゲットユーザに対応するコンテンツが放送中のときに、前記コンテンツを受信して再生するように構成される、請求項１記載の再生装置。
【請求項１３】
前記設定部は、前記複数のユーザに対応するジャンルを設定するように構成され、
前記再生部は、前記ターゲットユーザに対応するジャンルのコンテンツを再生するように構成される、請求項１記載の再生装置。
【請求項１４】
前記設定部は、前記複数のユーザに対応するジャンルを設定するように構成され、
前記コンテンツは、リアルタイム型放送サービスで提供され、
前記再生部は、前記ターゲットユーザに対応するジャンルのコンテンツが放送中のときに、前記コンテンツを受信して再生するように構成される、請求項１記載の再生装置。
【請求項１５】
前記再生装置は、カーナビゲーション装置に含まれる、請求項１記載の再生装置。
【請求項１６】
前記再生装置は、携帯端末に含まれる、請求項１記載の再生装置。
【請求項１７】
前記通信部は、複数の携帯端末と通信するように構成され、
前記複数の携帯端末は、前記複数のユーザが装着可能なウェアラブル端末とそれぞれ通信するように構成され、前記携帯端末は、前記ウェアラブル端末から送信される前記状態情報を受信して、前記状態情報を前記再生装置に送信するように構成され、
前記通信部は、前記携帯端末から送信される前記状態情報を受信するように構成される、請求項１記載の再生装置。
【発明の詳細な説明】
【技術分野】
【０００１】
本開示は、再生装置に関する。
【背景技術】
【０００２】
従来から、ユーザが音楽などのコンテンツの再生を停止せずに眠った場合に、ユーザの睡眠状態を検出して自動的にコンテンツの再生を停止することができる装置が知られている。
【０００３】
たとえば、特許文献１に記載の装置では、情報取得部が、ユーザの状態を表す状態情報を取得し、判定部が、状態情報に基づいてユーザが眠っているか否かを判定し、配信部が、判定部がユーザが眠っていると判定した場合に、ユーザに対する音楽情報の配信を停止する。
【先行技術文献】
【特許文献】
【０００４】
【特許文献１】特開２０１１−１４１４９２号公報
【発明の概要】
【発明が解決しようとする課題】
【０００５】
しかしながら、車両内や家庭の部屋などにおいて、複数のユーザが同じコンテンツを視聴している場合に、あるユーザは、睡眠状態にあるが、別のユーザは、覚醒状態にある場合もある。特許文献１には、このような場合に、どのようにコンテンツの再生を制御するかについては、記載されていない。
【０００６】
それゆえに、本開示の目的は、複数のユーザが睡眠中か、あるいは覚醒中かに応じて、適切なコンテンツを再生することができる再生装置を提供することである。
【課題を解決するための手段】
【０００７】
一実施形態の再生装置は、複数のユーザが睡眠中か、あるいは覚醒中かの状態を管理するように構成される状態管理部と、複数のユーザの優先順位を設定するように構成される設定部と、複数のユーザの状態および複数のユーザの優先順位に基づいて、複数のユーザの中から一人のユーザをターゲットユーザとして選択するように構成される選択部と、ターゲットユーザに応じたコンテンツを再生するように構成される再生部とを備える。
【発明の効果】
【０００８】
一実施形態の再生装置によれば、複数のユーザが睡眠中か、あるいは覚醒中かに応じて、適切なコンテンツを再生することができる。
【図面の簡単な説明】
【０００９】
【図１】実施の形態のコンテンツ再生システムを表わす図である。
【図２】ウェアラブル端末の構成を表わす図である。
【図３】情報Ｓ１を表わす図である。
【図４】情報Ｓ２を表わす図である。
【図５】カーナビゲーション装置の構成を表わす図である。
【図６】ユーザ情報の例を表わす図である。
【図７】状態情報の例を表わす図である。
【図８】コンテンツ再生システムの第１の利用例を表わす図である。
【図９】第１の実施形態におけるコンテンツ再生システムにおけるコンテンツの再生制御手順を表わすフローチャートである。
【図１０】表示されるステータスアイコンの例を表わす図である。
【図１１】通知されるメッセージの例を表わす図である。
【図１２】表示されるステータスアイコンおよびメッセージの例を表わす図である。
【図１３】表示されるステータスアイコンおよびメッセージの別の例を表わす図である。
【図１４】コンテンツ再生システムの第２の利用例を表わす図である。
【図１５】第２の実施形態のウェアラブル端末の構成を表わす図である。
【図１６】情報Ｓ３を表わす図である。
【図１７】第２の実施形態のカーナビゲーション装置の構成を表わす図である。
【図１８】第３の実施形態のコンテンツ再生システムの構成を表わす図である。
【図１９】第４の実施形態のコンテンツ再生システムの構成を表わす図である。
【図２０】第５の実施形態のコンテンツ再生システムの構成を表わす図である。
【図２１】携帯端末の構成を表わす図である。
【図２２】第６の実施形態におけるコンテンツ再生システムにおけるコンテンツの再生制御手順を表わすフローチャートである。
【図２３】図７の状態情報が記録されているときに、表示されるステータスアイコンの例を表わす図である。
【図２４】変化後の状態情報の例を表わす図である。
【図２５】図２４の状態情報が記録されているときに、表示されるステータスアイコンおよびメッセージの例を表わす図である。
【図２６】第７の実施形態におけるコンテンツ再生システムにおけるコンテンツの再生制御手順を表わすフローチャートである。
【図２７】変化後の状態情報の例を表わす図である。
【図２８】図２７の状態情報が記録されているときに、表示されるステータスアイコンおよびメッセージの例を表わす図である。
【図２９】第８の実施形態におけるコンテンツ再生システムにおけるコンテンツの再生制御手順を表わすフローチャートである。
【図３０】ユーザ情報の例を表わす図である。
【発明を実施するための形態】
【００１０】
以下、実施の形態について図面を用いて説明する。
［第１の実施形態］
図１は、実施の形態のコンテンツ再生システムを表わす図である。
【００１１】
このコンテンツ再生システムは、カーナビゲーション装置１と、ウェアラブル端末４−１〜４−４とを備える。カーナビゲーション装置１は、車両の現在位置の把握、および車両の目的地への誘導などのナビゲーション機能と、コンテンツ再生機能とを備える。以下の説明において、カーナビゲーション装置１に含まれるコンテンツ再生機能を実現する構成要素の集合をコンテンツ再生装置とも呼ぶこともある。
【００１２】
カーナビゲーション装置１は、コンテンツを再生することができる。再生されるコンテンツには、ＤＶＤ（Digital Versatile Disk）、ＣＤ（Compact Disk）、ハードディスクなどの記録メディアに記録された映像と音声、または音声、ＴＶ放送などのリアルタイム型放送サービスで提供される映像および音声、ラジオ放送などのリアルタイム型放送サービスで提供される音声などが含まれる。
【００１３】
ウェアラブル端末４−１〜４−４は、腕時計型の装置である。ウェアラブル端末４−１〜４−４は、それぞれユーザＡ〜Ｄの手首などの身体に装着されて、ユーザＡ〜Ｄが睡眠中か覚醒中かを検出することができる。カーナビゲーション装置１は、ユーザＡ〜Ｄのうちのどのユーザが睡眠中か覚醒中かに応じて、再生するコンテンツを切り替えることができる。以下では、ウェアラブル端末４−１〜４−４を総称して、ウェアラブル端末４と呼ぶことがある。
【００１４】
図２は、ウェアラブル端末４の構成を表わす図である。
ウェアラブル端末４は、生体情報計測部３１と、睡眠判定部３２と、ＢＴ通信部３３とを備える。
【００１５】
生体情報計測部３１は、一定の周期Ｔ１で、ユーザの脈拍、体温、血圧などの生体情報を計測することができる。ユーザがウェアラブル端末４を装着していないときには、生体情報が計測されないことになる。
【００１６】
睡眠判定部３２は、生体情報が計測された場合に、計測した生体情報に基づいて、ユーザの状態を判定することができる。たとえば、睡眠判定部３２は、ユーザの脈拍に基づいて、ユーザが睡眠中か、あるいは覚醒中かを判定することができる。
【００１７】
ＢＴ通信部３３は、ウェアラブル端末４の電源がオンであり、かつカーナビゲーション装置１との距離が通信接続可能な範囲内にあるときに、Bluetoothによる通信方式に従って、カーナビゲーション装置１と通信することができる。
【００１８】
ＢＴ通信部３３は、一定の周期Ｔ２で、図３に示すようなウェアラブル端末のＩＤを含む情報（以下、情報Ｓ１）を送信することができる。ただし、Ｔ２＜Ｔ１である。
【００１９】
ＢＴ通信部３３は、ユーザの状態が判定された場合に、図４に示すようなウェアラブル端末のＩＤと、ユーザが睡眠中かあるいは覚醒中かを表わす状態フラグとを含む情報（以下、情報Ｓ２）を一定の周期Ｔ１で送信することができる。ユーザがウェアラブル端末４を装着していないときには、この情報Ｓ２は送信されない。
【００２０】
ウェアラブル端末４−１〜４−４からカーナビゲーション装置１への情報Ｓ１、Ｓ２の送信タイミングは、互いに異なるものとする。
【００２１】
図５は、カーナビゲーション装置１の構成を表わす図である。
カーナビゲーション装置１は、入力部１４と、ユーザ設定部１５と、ユーザ情報記憶部１６と、放送受信部１７と、ＢＴ通信部１１と、端末状態管理部１２と、状態情報記憶部１３と、コンテンツ記憶部１８と、表示部２１と、スピーカ２２と、再生部２０と、再生履歴記憶部１９と、通知部２３とを備える。図５において、車両の誘導のための構成は省略されている。
【００２２】
入力部１４は、ユーザからの入力を受け付けることができる。入力部１４は、たとえば、タッチパネルによって構成されることができる。
【００２３】
表示部２１は、再生部２０によって映画を再生することによって得られる映像、およびメッセージなどを表示することができる。表示部２１は、たとえば、液晶ディスプレイによって構成されることができる。
【００２４】
スピーカ２２は、再生部２０によって映画を再生することによって得られる音声、および楽曲を再生することによって得られる音声などを発音することができる。
【００２５】
放送受信部１７は、ＴＶ放送の選択されたチャンネルの放送データを受信することができる。この放送データは、映像と音声とを含む。放送受信部１７は、ラジオ放送の選択されたチャンネルの放送データを受信することができる。この放送データは、音声を含む。放送受信部１７は、アンテナ、チューナ、増幅器、およびＡＤ変換器などによって構成される。
【００２６】
コンテンツ記憶部１８は、映画および楽曲などのコンテンツのデータを記憶することができる。映画のデータは、映像と音声とを含む。楽曲のデータは、音声を含む。コンテンツ記憶部１８は、ハードディスク、ＣＤ、ＤＶＤなどによって構成されることができる。
【００２７】
ユーザ情報記憶部１６は、ユーザ情報を記憶することができる。
ユーザ設定部１５は、入力部１４から入力された情報を基にしてユーザ情報を作成して、ユーザ情報記憶部１６に記憶させることができる。ユーザ設定部１５は、年齢が低いほど、優先順位が高くなるように設定することができる。
【００２８】
図６は、ユーザ情報の例を表わす図である。
ユーザ情報は、ユーザが使用するウェアラブル端末のＩＤ、ユーザ名、ユーザの年齢、ユーザの好みのコンテンツのＩＤ、および優先順位を含む。
【００２９】
ユーザは、入力部１４を通じて、ユーザごとに、使用するウェアラブル端末のＩＤ、ユーザ名、ユーザの年齢、ユーザの好みのコンテンツのＩＤを入力する。ユーザ設定部１５は、これらの入力された情報に基づいて、ユーザ情報を作成して、ユーザ情報記憶部１６に記憶させることができる。たとえば、ユーザＡについて、年齢が１０歳で、好みのコンテンツのＩＤがＸで、使用するウェアラブル端末のＩＤが１であり、優先順位が２番目であることを示す情報が記憶されている。
【００３０】
ＢＴ通信部１１は、Bluetoothによる通信方式に従って、ウェアラブル端末４−１〜４−４の中のいずれかと通信することができる。ＢＴ通信部１１は、一定の時間間隔ごとに通信相手のウェアラブル端末を切り替えることができる。ＢＴ通信部１１は、電源がオン状態にあり、かつ通信接続可能な範囲に所在するウェアラブル端末から一定周期Ｔ２で情報Ｓ１を受信することができる。ＢＴ通信部１１は、電源がオン状態にあり、かつ通信接続可能な範囲に所在し、さらに睡眠中か覚醒中かが判定されたウェアラブル端末から一定周期Ｔ１で情報Ｓ２を受信することができる。
【００３１】
端末状態管理部１２は、ＢＴ通信部１１で受信した情報Ｓ１および情報Ｓ２に基づいて、ウェアラブル端末の状態を管理し、状態情報記憶部１３に書込むことができる。
【００３２】
端末状態管理部１２は、情報Ｓ１に含まれるウェアラブル端末のＩＤに基づいて、電源がオンで、かつ通信接続可能な範囲に所在するウェアラブル端末を特定することができる。端末状態管理部１２は、このようなウェアラブル端末について、状態情報を作成することができる。
【００３３】
さらに、端末状態管理部１２は、情報Ｓ２に含まれるウェアラブル端末のＩＤに基づいて、電源がオンで、かつ通信接続可能な範囲に所在するウェアラブル端末をユーザが装着しているか否かを特定することができる。端末状態管理部１２は、ユーザによって装着されているウェアラブル端末の装着フラグを０（装着中）に設定し、ユーザによって装着されていないウェアラブル端末の装着フラグを１（非装着中）に設定することができる。
【００３４】
さらに、端末状態管理部１２は、情報Ｓ２に含まれるウェアラブル端末のＩＤと状態フラグに基づいて、電源がオンで、かつ通信接続可能な範囲に所在するウェアラブル端末を装着しているユーザが睡眠中か、あるいは覚醒中かを特定することができる。端末状態管理部１２は、覚醒中のユーザが装着しているウェアラブル端末の状態フラグを０（覚醒中）に設定し、睡眠中のユーザが装着しているウェアラブル端末の状態フラグを１（睡眠中）に設定することができる。
【００３５】
状態情報記憶部は１３は、端末状態管理部１２によって特定された端末の状態を表す状態情報を記憶することができる。
【００３６】
図７は、状態情報の例を表わす図である。
状態情報は、ユーザが使用するウェアラブル端末のＩＤと、ユーザが装着しているか否かを表わす装着フラグと、ユーザが睡眠中かあるいは覚醒中かを表わす状態フラグとを含む。装着フラグが０は、装着中を表わし、装着フラグが１は、非装着中を表わす。状態フラグが０は、覚醒中を表わし、状態フラグが１は、睡眠中を表わす。
【００３７】
図７の例では、ウェアラブル端末のＩＤが１、２、３、４のすべてについて装着フラグが０（装着中）である。ウェアラブル端末のＩＤが２について状態フラグが１（睡眠中）であり、ウェアラブル端末のＩＤが１、３、４について状態フラグが０（覚醒中）である。
【００３８】
選択部２４は、状態情報およびユーザ情報を参照して、覚醒しているユーザのうち、優先順位の最も高いユーザをターゲットユーザとして選択することができる。
【００３９】
再生部２０は、ユーザ情報を参照して、ターゲットユーザの好みのコンテンツを特定し、特定したコンテンツを再生することができる。
【００４０】
再生部２０は、ターゲットユーザの好みのコンテンツが、コンテンツ記憶部１８に記録された音楽αの場合には、コンテンツ記憶部１８から音楽αの音声データを読み出して再生し、音声をスピーカ２２に出力することができる。
【００４１】
再生部２０は、ターゲットユーザの好みのコンテンツがコンテンツ記憶部１８に記録された映画βの場合には、コンテンツ記憶部１８から映画βの映像データおよび音声データを読み出して再生し、音声をスピーカ２２に出力し、映像を表示部２１に出力することができる。
【００４２】
再生部２０は、ターゲットユーザの好みのコンテンツが、ＴＶ放送の番組γの場合には、現時刻が番組γの放送時間帯内であれば、放送受信部１７に番組γの放送データ（映像および音声）を受信させ、受信した放送データを再生し、音声をスピーカ２２に出力し、映像を表示部２１に出力することができる。
【００４３】
再生部２０は、ターゲットユーザの好みのコンテンツが、ラジオ放送の番組θの場合には、現時刻が番組θの放送時間帯内であれば、放送受信部１７に番組θの放送データ（音声）を受信させて、放送データを再生し、音声をスピーカ２２に出力することができる。
【００４４】
通知部２３は、再生するコンテンツを変更したときには、表示部２１にどのユーザの好みのコンテンツに切り替えたかを表示することができる。通知部２３は、各ユーザの状態を表わすステータスアイコンを表示することができる。
【００４５】
再生履歴記憶部１９は、コンテンツの再生途中において再生が停止され、他のユーザの好みのコンテンツに切り替えられたときに、停止した箇所を記憶することができる。
【００４６】
図８は、コンテンツ再生システムの第１の利用例を表わす図である。
図８に示すように、車両５００は、カーナビゲーション装置１を備える。ユーザＡ、Ｂ、Ｃ、Ｄが車両に乗車し、それぞれウェアラブル端末４−１、４−２、４−３、４−４を装着している。ユーザＡ、Ｂ、Ｃ、Ｄのうち、ユーザＢが睡眠中であり、ユーザＡ、Ｃ，Ｄが覚醒中である。年齢が最も小さいユーザＡのコンテンツ（楽曲）がカーナビゲーション装置１において再生される。
【００４７】
図９は、第１の実施形態におけるコンテンツ再生システムにおけるコンテンツの再生制御手順を表わすフローチャートである。以下の手順では、再生されるコンテンツが、コンテンツ記憶部１８に記憶された映画または楽曲であるものとする。
【００４８】
ステップＳ１００において、通知部２３は、状態情報記憶部１３内の状態情報、およびユーザ情報記憶部１６内のユーザ情報を参照することによって、電源がオンで、かつ通信接続可能な範囲に所在するウェアラブル端末を装着した各ユーザの状態に応じたステータスアイコンを表示部２１に表示することができる。
【００４９】
図１０は、表示されるステータスアイコンの例を表わす図である。
図７に示されるように、ウェアラブル端末のＩＤが１〜４について装着フラグが０（装着中）の場合に、通知部２３は、ユーザＡ、Ｂ、Ｃ、Ｄが、電源がオンで、かつ通信接続可能な範囲に所在するウェアラブル端末を装着していることを特定することができる。図７のように、ウェアラブル端末のＩＤが１、３、４について状態フラグが０（覚醒中）で、ウェアラブル端末のＩＤが２について状態フラグが１（睡眠中）の場合に、通知部２３は、図１０に示すように、ユーザＡ、Ｃ、Ｄが覚醒中であることを表わすステータスアイコン９１Ａ，９１Ｃ，９１Ｄと、ユーザＢが睡眠中を表わすステータスアイコン９２Ｂを表示することができる。
【００５０】
ステップＳ１０１において、選択部２４は、状態情報記憶部１３内の状態情報を参照することによって、覚醒中のユーザがいるかどうかを調べることができる。覚醒中のユーザが存在する場合には、処理がステップＳ１０２に進む。
【００５１】
ステップＳ１０２において、覚醒中のユーザが複数人の場合には、処理がステップＳ１０３に進み、覚醒中のユーザが一人の場合には、処理がステップＳ１０４に進む。
【００５２】
ステップＳ１０３において、選択部２４は、ユーザ情報記憶部１６内のユーザ情報を参照することによって、覚醒中の複数のユーザのうち、最も優先順位が高いユーザをターゲットユーザとして選択することができる。
【００５３】
ステップＳ１０４において、選択部２４は、覚醒中の一人のユーザをターゲットユーザとして選択することができる。
【００５４】
ステップＳ１０５において、再生部２０は、ユーザ情報記憶部１６内のユーザ情報を参照して、ターゲットユーザの好みのコンテンツを特定し、特定したコンテンツを再生することができる。再生部２０は、再生履歴記憶部１９内の再生履歴を参照して、特定したコンテンツが再生途中で停止したことを示す場合には、そのコンテンツを再生途中から再生することができる。
【００５５】
通知部２３は、ターゲットユーザの好みのコンテンツを再生中であることを表わすメッセージを表示部２１に表示することができる。
【００５６】
図１１は、通知されるメッセージの例を表わす図である。
覚醒中のユーザＡ、Ｃ、Ｄのうち、ユーザＡの優先順位が最も高い場合に、ユーザＡがターゲットユーザとして選択される。ユーザＡの好みのコンテンツＸが楽曲Ｐの場合に、通知部２３は、図１１に示すように、ユーザＡの好みの曲Ｐを再生中である旨のメッセージを表示することができる。
【００５７】
ステップＳ１０７において、一定時間のウエイト処理が行われる。
ステップＳ１０８において、通知部２３は、状態情報記憶部１３内の状態情報を参照することによって、状態が変化したユーザが存在するかどうかを調べることができる。状態が変化したユーザが存在する場合には、処理がステップＳ１０９に進み、状態が変化したユーザが存在しない場合には、処理がステップＳ１０７に戻る。
【００５８】
ステップＳ１０９において、通知部２３は、状態が変化したユーザのステータスアイコンを変化させるとともに、状態の変化を表わすメッセージを表示することができる。
【００５９】
図１２は、表示されるステータスアイコンおよびメッセージの例を表わす図である。
図１２に示されるように、ユーザＡが睡眠中に変化した場合に、通知部２３は、ユーザＡが覚醒中であることを表わすステータスアイコン９１Ａに代えて、ユーザＡが睡眠中を表わすステータスアイコン９２Ａを表示することができる。さらに、通知部２３は、ターゲットユーザＡが睡眠中に変化したことを表すメッセージを表示することができる。
【００６０】
図１３は、表示されるステータスアイコンおよびメッセージの別の例を表わす図である。
【００６１】
図１３に示されるように、ユーザＢが覚醒中に変化した場合に、通知部２３は、ユーザＢが睡眠中であることを表わすステータスアイコン９２Ｂに代えて、ユーザＢが覚醒中であることを表わすステータスアイコン９１Ｂを表示することができる。さらに、通知部２３は、ユーザＢが覚醒中に変化したことを表すメッセージを表示することができる。
【００６２】
ステップＳ１１０において、ターゲートユーザが睡眠中に変化した場合には、処理がステップＳ１１１に進み、ターゲットユーザが睡眠中に変化していない場合には、処理がステップＳ１１４に進む。
【００６３】
ステップＳ１１１において、再生部２０は、コンテンツの再生を停止することができる。
【００６４】
ステップＳ１１２において、停止したコンテンツの箇所を表わす情報（映像、音声のフレーム番号など）を再生履歴記憶部１９に記憶することができる。
【００６５】
ステップＳ１１２の後、処理がステップＳ１０１に戻る。
ステップＳ１１４において、睡眠中から覚醒中に変化したユーザがいる場合には、処理がステップＳ１１５に進み、そのようなユーザがいない場合には、処理がステップＳ１０７に戻る。
【００６６】
ステップＳ１１５において、睡眠中から覚醒中に変化した一人以上のユーザのうち、最も優先順位の高いユーザ（以下、ユーザＸ）の優先順位がターゲットユーザの優先順位よりも高い場合には、処理がステップＳ１１６に進み、ターゲットユーザの優先順位よりも低い場合には、処理がステップＳ１０７に戻る。
【００６７】
ステップＳ１１６において、選択部２４は、ターゲットユーザをユーザＸに変更することができる。
【００６８】
ステップＳ１１６の後、処理がステップＳ１０５に戻る。
以上のように、第１の実施形態によれば、複数のユーザのうち、覚醒中の年齢が最も低いユーザの好みのコンテンツを再生することができる。これによって、複数のユーザ全体の意図に適合したコンテンツを人手によらずに自動的に選択することができる。
［第１の実施形態の変形例］
第１の実施形態では、車両に設置されるコンテンツ再生システムについて説明したが、これに限定されるものではない。たとえば、コンテンツ再生システムは、家族が集まるリビングに設置されてもよい。その場合に、カーナビゲーション装置の代わりに、テレビ受像機が設置される。
【００６９】
図１４は、コンテンツ再生システムの第２の利用例を表わす図である。
コンテンツ再生システムは、カーナビゲーション装置１に代えて、テレビ受像機６００を備える。テレビ受像機６００が、図５のカーナビゲーション装置１に含まれる構成要素を備える。
【００７０】
図１４に示すように、テレビ受像機６００がリビングに設置されている。ユーザＡ、Ｂ、Ｃ、Ｄがリビングに、それぞれウェアラブル端末４−１、４−２、４−３、４−４を装着している。ユーザＡ、Ｂ、Ｃ、Ｄのうち、ユーザＡが睡眠中であり、ユーザＢ、Ｃ、Ｄが覚醒中である。この場合において、覚醒中の年齢が最も小さいユーザＢのコンテンツ（楽曲）がテレビ受像機６００において再生される。
【００７１】
なお、ユーザＡ〜Ｄの好みのコンテンツが楽曲の場合に、コンテンツ再生システムは、テレビ受像機６００の代わりに、図５のカーナビゲーション装置１に含まれる構成要素を備えたオーディオ機器を備えるものとしてもよい。
【００７２】
［第２の実施形態］
第１の実施形態では、ウェアラブル端末４が睡眠判定部３２を備えるものとしたが、第２の実施形態では、カーナビゲーション装置１が睡眠判定部６１を備える。
【００７３】
図１５は、第２の実施形態のウェアラブル端末４の構成を表わす図である。
ウェアラブル端末４は、生体情報計測部３１と、ＢＴ通信部３３とを備える。
【００７４】
生体情報計測部３１は、第１の実施形態と同様である。
ＢＴ通信部３３は、ウェアラブル端末４の電源がオンであり、かつカーナビゲーション装置１との距離が通信接続可能な範囲内にあるときに、Bluetoothによる通信方式に従って、カーナビゲーション装置１と通信することができる。
【００７５】
ＢＴ通信部３３は、一定の周期Ｔ２で、図３に示すようなウェアラブル端末のＩＤを含む情報（以下、情報Ｓ１）を送信することができる。ただし、Ｔ２＜Ｔ１である。
【００７６】
ＢＴ通信部３３は、一生体情報が計測された場合に、図１６に示すような、ウェアラブル端末のＩＤと、生体情報とを含む情報（以下、情報Ｓ３）を一定の周期Ｔ１で送信することができる。ユーザがウェアラブル端末４を装着していないときには、この情報Ｓ３は送信されない。
【００７７】
図１７は、第２の実施形態のカーナビゲーション装置１の構成を表わす図である。
第２の実施形態のカーナビゲーション装置１が、第１の実施形態のカーナビゲーション装置１と相違するのは、以下の点である。
【００７８】
ＢＴ通信部１１は、電源がオン状態にあり、かつ通信接続可能な範囲に所在するウェアラブル端末から一定周期Ｔ２で情報Ｓ１を受信することができる。
【００７９】
ＢＴ通信部１１は、電源がオン状態にあり、かつ通信接続可能な範囲に所在し、さらに生体情報が計測されたウェアラブル端末から一定周期Ｔ１で情報Ｓ３を受信することができる。
【００８０】
第２の実施形態のカーナビゲーション装置１は、睡眠判定部６１を備える。
睡眠判定部６１は、情報Ｓ３が受信された場合に、情報Ｓ３に含まれる生体情報に基づいて、ユーザの状態を判定することができる。たとえば、睡眠判定部６１は、ユーザの脈拍に基づいて、ユーザが睡眠中か、あるいは覚醒中かを判定することができる。
【００８１】
以上のように、睡眠判定部が、ウェアラブル端末側ではなく、カーナビゲーション側に設けられていても、第１の実施形態と同様に、複数のユーザのうち、覚醒中の年齢が最も低いユーザの好みのコンテンツを再生することができる。
【００８２】
なお、第２の実施形態においても、コンテンツ再生システムは、上記説明したカーナビゲーション装置１に代えて、上記説明したカーナビゲーション装置１と同様の構成要素を有するテレビ受像機６００を備えるものとしてもよい。
【００８３】
［第３の実施形態］
図１８は、第３の実施形態のコンテンツ再生システムの構成を表わす図である。
【００８４】
このコンテンツ再生システムは、携帯端末６と、ウェアラブル端末４−１〜４−４とを備える。携帯端末６は、通常の通信および通話などの機能と、第１の実施形態と同様のコンテンツ再生機能とを備える。それゆえ、携帯端末６は、図５に示された各構成要素を備える。これによって、カーナビゲーション装置１またはテレビ受像機６００に代えて、携帯端末６を用いても同様の機能を実現することができる。
【００８５】
携帯端末６においてコンテンツ記憶部１８は、ＳＤカード、内部メモリなどによって構成されることができる。
【００８６】
以上のように、コンテンツ再生装置が、カーナビゲーション装置ではなく、携帯端末によって構成されているような場合でも、第１の実施形態と同様に、複数のユーザのうち、覚醒中の年齢が最も低いユーザの好みのコンテンツを再生することができる。
【００８７】
［第４の実施形態］
図１９は、第４の実施形態のコンテンツ再生システムの構成を表わす図である。
【００８８】
このコンテンツ再生システムは、カーナビゲーション装置１と、携帯端末５−１〜５−４と、ウェアラブル端末４−１〜４−４とを備える。
【００８９】
携帯端末５−１〜５−４は、ウェアラブル端末４−１〜４−４とカーナビゲーション装置１との間の通信を中継することができる。
【００９０】
カーナビゲーション装置１の構成は、第１の実施形態と同様であるが、通信接続の相手先がウェアラブル端末４−１〜４−４に代えて、携帯端末５−１〜５−４となる。
【００９１】
ウェアラブル端末４−１〜４−４の構成は、第１の実施形態と同様であるが、通信接続の相手先がカーナビゲーション装置１に代えて、携帯端末５−１〜５−４となる。
【００９２】
携帯端末５−ｉ（ｉ＝１〜４）は、ウェアラブル端末４−ｉと通信するための第１のＢＴ通信部８−ｉと、カーナビゲーション装置１と通信するための第２のＢＴ通信部９−ｉとを備える。
【００９３】
ＢＴ通信部８−ｉは、ウェアラブル端末４−ｉから情報Ｓ１および情報Ｓ２を受信することができる。ＢＴ通信部９−ｉは、受信した情報Ｓ１およびＳ２をカーナビゲーション装置１へ送信することができる。
【００９４】
以上のように、ウェアラブル端末とカーナビゲーション装置との間で直接、通信できないような場合でも、第１の実施形態と同様に、複数のユーザのうち、覚醒中の年齢が最も低いユーザの好みのコンテンツを再生することができる。
【００９５】
なお、第４の実施形態においても、コンテンツ再生システムは、上記説明したカーナビゲーション装置１に代えて、上記説明したカーナビゲーション装置１と同様の構成要素を有するテレビ受像機６００を備えるものとしてもよい。
【００９６】
［第５の実施形態］
図２０は、第５の実施形態のコンテンツ再生システムの構成を表わす図である。
【００９７】
このコンテンツ再生システムは、カーナビゲーション装置１と、携帯端末５−１〜５−４と、ウェアラブル端末４−１〜４−４とを備える。
【００９８】
携帯端末５−１は、通常の通信および通話などの機能と、第１の実施形態と同様のコンテンツ再生機能とを備える。それゆえ、携帯端末５−１は、図３に示された各構成要素を備える。つまり、カーナビゲーション装置１に代えて、携帯端末５−１を用いても同様の機能を実現することができる。
【００９９】
ウェアラブル端末４−１〜４−４の構成は、第１の実施形態と同様であるが、通信接続の相手先がカーナビゲーション装置１に代えて、携帯端末５−１〜５−４となる。
【０１００】
携帯端末５−ｉ（ｉ＝２、３、４）は、ウェアラブル端末４−ｉと通信するための第１のＢＴ通信部８−ｉと、携帯端末５−１と通信するための第２のＢＴ通信部９−ｉとを備える。ＢＴ通信部８−ｉは、ウェアラブル端末４−ｉから情報Ｓ１および情報Ｓ２を受信することができる。ＢＴ通信部９−ｉは、受信した情報Ｓ１およびＳ２を携帯端末５−１へ送信することができる。
【０１０１】
携帯端末５−１は、ウェアラブル端末４−１と通信するための第１のＢＴ通信部８−１と、携帯端末５−２〜５−４と通信するための第２のＢＴ通信部９−１と、カーナビゲーション装置１と通信するための第３のＢＴ通信部１０−１とを備える。
【０１０２】
図２１は、携帯端末５−１の構成を表わす図である。
この携帯端末５−１は、図３に示す第１の実施形態のカーナビゲーション装置１の構成要素と基本的に同様の構成要素を備えるが、以下の点において、第１の実施形態のカーナビゲーション装置１と相違する。
【０１０３】
第１のＢＴ通信部８−１は、ウェアラブル端末４−１から情報Ｓ１および情報Ｓ２を受信することができる。第２のＢＴ通信部９−１は、携帯端末５−２〜５−４から情報Ｓ１および情報Ｓ２を受信することができる。
【０１０４】
再生部２０は、コンテンツを再生することによって得られる映像を第３のＢＴ通信部１０−１へ出力することができる。再生部２０は、コンテンツを再生することによって得られる音声を第３のＢＴ通信部１０−１へ出力することができる。
【０１０５】
通知部２３は、メッセージを表わす文字およびマークを表わす画像を第３のＢＴ通信部１０−１へ出力することができる。
【０１０６】
第３のＢＴ通信部１０−１は、映像、画像、文字を含む情報Ｓ４をカーナビゲーション装置１へ送信することができる。
【０１０７】
第５の実施形態のカーナビゲーション装置１は、第１の実施形態と異なり、通常のカーナビゲーション機能を備えるが、コンテンツ再生機能を備えない。カーナビゲーション装置１は、表示部２１、スピーカ２２、およびＢＴ通信部１１を備える。
【０１０８】
カーナビゲーション装置１のＢＴ通信部１１は、情報Ｓ４を受信して、情報Ｓ４に含まれる映像、画像および文字を表示部２１に出力し、情報Ｓ４に含まれる音声をスピーカ２２に出力することができる。
【０１０９】
以上のように、カーナビゲーション装置がコンテンツ再生機能を備えない場合でも、携帯端末がコンテンツ再生機能を備えることによって、第１の実施形態と同様に、複数のユーザのうち、覚醒中の年齢が最も低いユーザの好みのコンテンツを再生することができる。
【０１１０】
なお、第５の実施形態においても、コンテンツ再生システムは、上記説明したカーナビゲーション装置１に代えて、上記説明したカーナビゲーション装置１と同様の構成要素を有するテレビ受像機６００を備えるものとしてもよい。
【０１１１】
［第６の実施形態］
第６の実施形態のコンテンツ再生システムは、ユーザがウェアラブル端末を装着しているかどうかを通知する機能を有する。
【０１１２】
上述の実施形態では、通知部２３は、状態情報に含まれる状態フラグに基づいて、各ユーザが、覚醒中であることを表わすステータスアイコン、または睡眠中であることを表わすステータスアイコンを表示した。
【０１１３】
第６の実施形態では、通知部２３は、さらに、状態情報に含まれる装着フラグに基づいて、各ユーザが、ウェアラブル端末を装着していることを表わすステータスアイコン、またはウェアラブル端末を装着していないことを表わすステータスアイコンを表示することができる。
【０１１４】
図２２は、第６の実施形態におけるコンテンツ再生システムにおけるコンテンツの再生制御手順を表わすフローチャートである。
【０１１５】
図２２のフローチャートが、図８のフローチャートと相違する点は、ステップＳ１００、Ｓ１０９、Ｓ１１０の代わりに、ステップＳ６００、Ｓ６０９、Ｓ６１０を備える点である。
【０１１６】
ステップＳ６００において、通知部２３は、状態情報記憶部１３内の状態情報、およびユーザ情報記憶部１６内のユーザ情報を参照することによって、電源がオンで、かつ通信接続可能な範囲に所在するウェアラブル端末を装着した各ユーザの状態に応じたステータスアイコンを表示部２１に表示することができる。
【０１１７】
図２３は、図７の状態情報が記録されているときに表示されるステータスアイコンの例を表わす図である。
【０１１８】
図７に示されるように、ウェアラブル端末のＩＤが１〜４について、装着フラグが０（装着中）を示す場合には、通知部２３は、ユーザＡ、Ｂ、Ｃ、Ｄがウェアラブル端末を装着中であることを表わすステータスアイコンを９３Ａ，９３Ｂ，９３Ｃ，９３Ｄを表示することができる。
【０１１９】
さらに、図７のように、ウェアラブル端末のＩＤが１、３、４について状態フラグが０（覚醒中）で、ウェアラブル端末のＩＤが２について状態フラグが１（睡眠中）の場合に、通知部２３は、第１の実施形態と同様に、ユーザＡ、Ｃ、Ｄが覚醒中であることを表わすステータスアイコン９１Ａ，９１Ｃ，９１Ｄと、ユーザＢが睡眠中を表わすステータスアイコン９２Ｂを表示することができる。
【０１２０】
ステップＳ６０９において、通知部２３は、状態が変化したユーザのステータスアイコンを変化させるとともに、状態の変化を表わすメッセージを表示することができる。
【０１２１】
図２４は、変化後の状態情報の例を表わす図である。
図２４では、ウェアラブル端末のＩＤが１について装着フラグが１（非装着中）に変化し、状態フラグが不定値に変化している。
【０１２２】
図２５は、図２４の状態情報が記録されているときに表示されるステータスアイコンおよびメッセージの例を表わす図である。
【０１２３】
図２５に示されるように、ウェアラブル端末のＩＤが１について、装着フラグが１（非装着中）に変化した場合に、通知部２３は、ユーザＡがウェアラブル端末を非装着中であることを表わすステータスアイコン９４Ａを表示することができる。さらに、通知部２３は、ユーザＡがウェアラブル端末を外したことを表わすメッセージを表示することができる。
【０１２４】
ステップＳ６１０では、ターゲートユーザが睡眠中に変化しただけでなく、ターゲットユーザがウェアラブル端末を非装着に変化させた場合にも、処理がステップＳ１１１に進む。
【０１２５】
以上のように、第６の実施形態によれば、ユーザＡ（たとえば、車両の後部座席の子供）がウェアラブル端末を外した場合に、そのことがカーナビゲーション装置に表示されるので、ユーザＣ（たとえば、前部座席の親）がユーザＡの状態の変化に気づくことができる。たとえば、子供が身体の異常を感じてウェアラブル端末を外したときに、そのような状況の変化を迅速に親に知らせることができる。
【０１２６】
なお、第６の実施形態においても、コンテンツ再生システムは、上記説明したカーナビゲーション装置１に代えて、上記説明したカーナビゲーション装置１と同様の構成要素を有するテレビ受像機６００を備えるものとしてもよい。
【０１２７】
［第７の実施形態］
第７の実施形態のコンテンツ再生システムは、ウェアラブル端末が通信接続可能な状態か否かを通知する機能を有する。
【０１２８】
第７の実施形態では、端末状態管理部１２は、情報Ｓ１に含まれるウェアラブル端末のＩＤに基づいて、電源がオンで、かつ通信接続可能な範囲に所在するウェアラブル端末（通信可能なウエアブル端末）を特定することができる。端末状態管理部１２は、状態情報記憶部１３にある状態情報のうち、通信可能なウェアラブル端末であると特定されなかったウェアラブル端末についての状態情報を状態情報記憶部１３から消去する。
【０１２９】
図２６は、第７の実施形態におけるコンテンツ再生システムにおけるコンテンツの再生制御手順を表わすフローチャートである。
【０１３０】
図２６のフローチャートが、図２２のフローチャートと相違する点は、ステップＳ６０９、Ｓ６１０の代わりに、ステップＳ７０９、Ｓ７１０を備える点である。
【０１３１】
ステップＳ７０９において、通知部２３は、状態が変化したユーザのステータスアイコンを変化させるとともに、状態の変化を表わすメッセージを表示することができる。
【０１３２】
図２７は、変化後の状態情報の例を表わす図である。
図２７では、ウェアラブル端末のＩＤが１と３について、状態情報が消去されている。
【０１３３】
図２８は、図２７の状態情報が記録されているときに、表示されるステータスアイコンおよびメッセージの例を表わす図である。
【０１３４】
ウェアラブル端末のＩＤが１と３の状態情報が消去された場合に、通知部２３は、ユーザＡのステータスアイコン９３Ａ，９１Ａ、ユーザＣのステータスアイコンを９３Ｃ，９１Ｃを消去することができる。さらに、通知部２３は、ユーザＡとユーザＣのウェアラブル端末の電源がオフか、電波の届かない場所にあるかを表わすメッセージを表示することができる。
【０１３５】
ステップ７１０では、ターゲートユーザが睡眠中に変化した、またはターゲットユーザがウェアラブル端末を非装着に変化させた場合だけでなく、ウェアラブル端末が通信不可となったときにも、処理がステップＳ１１１に進む。
【０１３６】
以上のように、第７の実施形態によれば、ウェアラブル端末が通信不可となったユーザが通知されるので、たとえは、バスなどがサービスエリアに駐車したときに、運転者は、誰がバスに戻ってきていないかを把握することができる。
【０１３７】
なお、第７の実施形態においても、コンテンツ再生システムは、上記説明したカーナビゲーション装置１に代えて、上記説明したカーナビゲーション装置１と同様の構成要素を有するテレビ受像機６００を備えるものとしてもよい。
【０１３８】
［第８の実施形態］
上述の実施形態では、ユーザの好みのコンテンツのデータがコンテンツ記憶部１８に記憶されているものとした。
【０１３９】
第８の実施形態のコンテンツ再生システムでは、ユーザの好みのコンテンツのデータが、テレビ放送またはラジオ放送などのリアルタイム型放送サービスで送信されるものとする。
【０１４０】
図２９は、第８の実施形態におけるコンテンツ再生システムにおけるコンテンツの再生制御手順を表わすフローチャートである。
【０１４１】
図２９のフローチャートが、図９のフローチャートと相違する点は、ステップＳ１０５の代わりに、ステップＳ８０５を備え、ステップＳ１１２を備えない点である。
【０１４２】
ステップＳ８０５において、再生部２０は、ユーザ情報記憶部１６内のユーザ情報を参照して、ターゲットユーザの好みのコンテンツ（番組）を特定する、再生部２０は、特定した番組が放送中の場合には、その番組の放送データを受信して再生することができる。再生部２０は、特定した番組が放送中でない場合には、デフォルトのチャンネルの番組の放送データを受信して再生することができる。
【０１４３】
なお、特定した番組が放送中でない場合には、選択部は、次に優先順位の高いユーザをターゲットユーザに変更し、再生部２０は、そのユーザの好みの番組が放送中の場合に、その番組の放送データを受信して再生するようにしてもよい。
【０１４４】
ターゲットユーザが睡眠中に変化して再生が停止され、そのユーザが覚醒して再びターゲットユーザに選択されたときに、選択部２４は、以前に選択した番組がまだ放送中の場合にその番組を再度選択し、以前に選択した番組が放送されていない場合に、同じチャンネルの番組、またはデフォルトのチャンネルの番組を選択するものとしてもよい。
【０１４５】
なお、第８の実施形態においても、コンテンツ再生システムは、上記説明したカーナビゲーション装置１に代えて、上記説明したカーナビゲーション装置１と同様の構成要素を有するテレビ受像機６００を備えるものとしてもよい。
【０１４６】
［第８の実施形態の変形例］
ユーザ情報記憶部１６には、ユーザの好みのコンテンツ（番組）のＩＤの代わりに、ユーザが好みのジャンルのＩＤが記憶されるものとしてもよい。
【０１４７】
図３０は、ユーザ情報の例を表わす図である。
ユーザ情報は、第１の実施形態と同様に、ユーザが使用するウェアラブル端末のＩＤ、ユーザ名、ユーザの年齢、および優先順位を含む。ユーザ情報は、ユーザの好みのコンテンツのＩＤに代えて、ユーザの好みのジャンルのＩＤを含む。
【０１４８】
たとえば、ＩＤが１のジャンルはアニメーション、ＩＤが２のジャンルはドラマ、ＩＤが３のジャンルはニュース、ＩＤが４のジャンルは、スポーツ中継とすることができる。
【０１４９】
図２９のフローチャートのステップＳ８０５に代えて、本変形例では、再生部２０は、ユーザ情報記憶部１６内のユーザ情報を参照して、ターゲットユーザの好みのジャンルを特定する。再生部２０は、ターゲットユーザの好みのジャンルの番組が放送中の場合には、その番組の放送データを受信して再生することができる。再生部２０は、ターゲットユーザの好みのジャンルの番組が放送中でない場合には、デフォルトのチャンネルの番組の放送データを受信して再生することができる。
【０１５０】
なお、ターゲットユーザの好みのジャンルの番組が放送中でない場合には、選択部２４は、次に優先順位の高いユーザをターゲットユーザに変更し、再生部２０は、そのユーザの好みのジャンルの番組が放送中の場合に、その番組の放送データを受信して再生するようにしてもよい。
【０１５１】
さらに、ターゲットユーザの好みのジャンルの番組が複数放送中の場合には、再生部２０は、いずれかの番組を選択して、その番組の放送データを受信して再生することができる。その後、ターゲットユーザが睡眠中に変化して再生が停止され、そのユーザが覚醒して再びターゲットユーザに選択されたときに、選択部２４は、以前に選択した番組がまだ放送中の場合にその番組を再度選択し、以前に選択した番組が放送されていない場合に、そのユーザの好みのジャンルの別の番組を選択するものとしてよい。
【０１５２】
なお、第８の実施形態の変形例においても、コンテンツ再生システムは、上記説明したカーナビゲーション装置１に代えて、上記説明したカーナビゲーション装置１と同様の構成要素を有するテレビ受像機６００を備えるものとしてもよい。
【０１５３】
（変形例）
（１）優先順位
上記の実施形態では、年齢が低いほど優先順位が高く設定されるものとしたが、これに限定されるものではない。年齢が高いほど優先順位が高く設定されるものとしてもよい。あるいは、ユーザが任意に優先順位を設定できるものとしてもよい。優先順位は、時間的に変化するものであってもよい。
【０１５４】
（２）睡眠検出
上記の実施形態では、ウェアラブル端末によってユーザの生体状態を検出することによって、ユーザが睡眠中か、あるいは覚醒中かが判定されるものとしたが、これに限定するものではない。たとえば、カメラによってユーザの顔を撮影し、顔画像を画像処理することによって、ユーザが睡眠中か、あるいは覚醒中かを判定するものとしてもよい。さらに、顔画像を画像処理によって、ユーザのおおよその年齢を推定することによって、ユーザ情報が作成されるものとしてもよい。さらに、ユーザの年齢に応じて、ユーザの好みのコンテンツが自動で設定されるものとしてもよい。
【０１５５】
（３）ウェアラブル
ウェアラブル端末が時計型の端末に限定されるものではなく、たとえば、ヘッドマウンド型の端末、またはメガネ型の端末などのようなものであってもよい。
【０１５６】
（４）ウェアラブル端末への通知
カーナビゲーション装置の通知部は、ウェアラブル端末が非装着に変化したユーザがいる場合、または睡眠中に変化したユーザがいる場合に、他のユーザのウェアラブル端末にそのことを通知することとしてもよい。たとえば、子供のウェアラブル端末が非装着に変化した場合、または子供が睡眠中に変化した場合に、通知部は、親のウェアラブル端末にそのことを通知し、親のウェアラブル端末が、メッセージを表示する、警告音を出力する、または振動することによって、親に異常を知らせることとしてもよい。
【０１５７】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１５８】
１  カーナビゲーション装置、４，４−１〜４−４  ウェアラブル端末、５−１〜５−４，６  携帯端末、１２    端末状態管理部、１３  状態情報記憶部、１４  入力部、１５  ユーザ設定部、１６  ユーザ情報記憶部、１７  放送受信部、１８  コンテンツ記憶部、１９  再生履歴記憶部、２０  再生部、２１  表示部、  ２２  スピーカ、２３  通知部、３１  生体情報計測部、３２  睡眠判定部、８−１〜８−４，９−１〜９−４，１０−１，１１，３３  ＢＴ通信部、５００  車両、６００  テレビ受像機。
【図１】
0006318129.tif 000002
【図２】
0006318129.tif 000003
【図３】
0006318129.tif 000004
【図４】
0006318129.tif 000005
【図５】
0006318129.tif 000006
【図６】
0006318129.tif 000007
【図７】
0006318129.tif 000008
【図８】
0006318129.tif 000009
【図９】
0006318129.tif 000010
【図１０】
0006318129.tif 000011
【図１１】
0006318129.tif 000012
【図１２】
0006318129.tif 000013
【図１３】
0006318129.tif 000014
【図１４】
0006318129.tif 000015
【図１５】
0006318129.tif 000016
【図１６】
0006318129.tif 000017
【図１７】
0006318129.tif 000018
【図１８】
0006318129.tif 000019
【図１９】
0006318129.tif 000020
【図２０】
0006318129.tif 000021
【図２１】
0006318129.tif 000022
【図２２】
0006318129.tif 000023
【図２３】
0006318129.tif 000024
【図２４】
0006318129.tif 000025
【図２５】
0006318129.tif 000026
【図２６】
0006318129.tif 000027
【図２７】
0006318129.tif 000028
【図２８】
0006318129.tif 000029
【図２９】
0006318129.tif 000030
【図３０】
0006318129.tif 000031